(57)【特許請求の範囲】
【請求項１】
コンロ本体の天面部を構成するトッププレートと、
前記トッププレートに配置されるコンロバーナと、
前記コンロ本体の前面に配置された前面パネルと、
前記前面パネルを前後方向に貫通する左右方向に長い横長のスリットと、
前記前面パネルの前記スリットを後方から前方に向かって貫通するように配設された、前記コンロバーナの火力を調節する火力調節レバーと
を備えたガスコンロであって、
前記火力調節レバーが、
前記コンロ本体の内部に配設されたガス量調節手段のガス量調節用駆動部と係合するレバー本体部と、
前記前面パネルの前面において下方に延びる垂下部と、
前記垂下部の下端部に、前方に向けて突出するように配設された把持部と
を備えていることを特徴とするガスコンロ。
【請求項２】
前記前面パネルが、下端側が上端側より前方に位置する態様で傾斜しており、前記垂下部が、前記前面パネルに沿うように傾斜して下方に延びていることを特徴とする請求項１記載のガスコンロ。
【請求項３】
前記把持部の上端が、前記トッププレートの前端より前方に位置していることを特徴とする請求項１または２記載のガスコンロ。
【発明の詳細な説明】
【技術分野】
【０００１】
本発明は、ガスコンロに関し、詳しくは、火力調節を行う際に操作される火力調節レバーをコンロ本体の前面側に備えたガスコンロに関する。
【背景技術】
【０００２】
ガスコンロとして、近年、ガスコンロ本体の前面に、火力調節を行う際に操作される火力調節レバーをガスコンロ本体の前面に備えたガスコンロが広く市販されるに至っている。
【０００３】
このようなガスコンロの１つに、特許文献１に記載されているように、コンロ本体の天面部を構成するトッププレートを備え、バーナの火力を調節する火力調節レバー（火力調節用操作具）が、コンロ本体の前面を構成する前面パネルに配設された構造を有するガスコンロがある。
【０００４】
そして、このガスコンロにおいては、使用者がガスコンロの前面側から、火力調節レバー（火力調節用操作具）を操作することにより、コンロバーナの火力の調節が行われる。
【先行技術文献】
【特許文献】
【０００５】
【特許文献１】特開２０１１−２３１９３８号公報
【発明の概要】
【発明が解決しようとする課題】
【０００６】
ところで、上述のガスコンロにおいては、トッププレートにコンロバーナが配置されており、コンロバーナが使用されるとトッププレートも加熱され、高温になる。
【０００７】
一方、上述のような構成を備えたガスコンロにおいては、意匠上の理由などから、火力調節レバーがトッププレートの近傍に配置される場合がある。
【０００８】
そして、そのような場合、使用者が手指にて火力調節レバーを把持して火力調節を行うと、使用者の手指が高温になったトッププレートに接近することになり、場合によっては、使用者の手指がトッププレートに触れて火傷するという安全上の問題点がある。
【０００９】
特に、意匠上の理由などによって、前面パネルの上端に比べてトッププレートの前端が前方に位置する、いわゆる、トッププレートが前面パネルに対してオーバーハング状態になった構成のガスコンロの場合、使用者が火力調節レバーを手指にて操作する際に、手指がトッププレートに触れて、火傷を負う蓋然性が高くなる。
【００１０】
本発明は、上記問題点を解決するものであり、コンロ本体の前面を構成する前面パネルに配設された火力調節レバーを操作して火力調節を行う場合に、使用者が火傷をするおそれの少ない、安全性の高いガスコンロを提供することを目的とする。
【課題を解決するための手段】
【００１１】
上記の目的を達成するために、本発明のガスコンロは、
コンロ本体の天面部を構成するトッププレートと、
前記トッププレートに配置されるコンロバーナと、
前記コンロ本体の前面に配置された前面パネルと、
前記前面パネルを前後方向に貫通する左右方向に長い横長のスリットと、
前記前面パネルの前記スリットを後方から前方に向かって貫通するように配設された、前記コンロバーナの火力を調節する火力調節レバーと
を備えたガスコンロであって、
前記火力調節レバーが、
前記コンロ本体の内部に配設されたガス量調節手段のガス量調節用駆動部と係合するレバー本体部と、
前記前面パネルの前面において下方に延びる垂下部と、
前記垂下部の下端部に、前方に向けて突出するように配設された把持部と
を備えていることを特徴としている。
【００１２】
また、本発明は、前記前面パネルが、下端側が上端側より前方に位置する態様で傾斜しており、前記垂下部が、前記前面パネルに沿うように傾斜して下方に延びていることが好ましい。
【００１３】
また、前記把持部の上端が、前記トッププレートの前端より前方に位置していることが好ましい。
【発明の効果】
【００１４】
本発明のガスコンロは、上述のように、コンロ本体の天面部を構成するトッププレートと、トッププレートに配置されるコンロバーナと、コンロ本体の前面に配置された前面パネルと、前面パネルを前後方向に貫通する左右方向に長い横長のスリットと、前面パネルのスリットを後方から前方に向かって貫通するように配設された、コンロバーナの火力を調節する火力調節レバーとを備えたガスコンロにおいて、火力調節レバーが、コンロ本体の内部に配設されたガス量調節手段のガス量調節用駆動部と係合するレバー本体部と、前面パネルの前面において下方に延びる垂下部と、垂下部の下端部に、前方に向けて突出するように配設された把持部とを備えた構成とされているので、使用者が、把持部を手指で操作して火力調節を行う際に、使用者の手指が高温になったトッププレートに触れる蓋然性が低くなる。
【００１５】
すなわち、意匠上の理由などによって、上記前面パネルのスリットがトッププレートに近い位置に配設され、火力調節レバーが、該スリットを後方から前方に向かって貫通するように配設されているような場合にも、火力調節レバーが、パネルの前面において下方に延びる垂下部と、垂下部の下端部に、前方に向けて突出するように配設された把持部を備えた構成とされているので、使用者が火力を把持部を指などでつまんで操作した場合にも、使用者がトッププレートに触れることを抑制、防止することが可能になり、安全性を向上させることができる。
その結果、使用者が火傷をするおそれの少ない、安全性の高いガスコンロを提供することが可能になる。
【００１６】
また、本発明のガスコンロにおいて、前面パネルが、下端側が上端側より前方に位置する態様で傾斜しており、垂下部が、前面パネルに沿うように傾斜して下方に延びるように構成されている場合には、前面パネルが上述のような態様で傾斜しているような場合にも、把持部が斜め下方で、かつ、前方に位置することになるため、使用者が手指で把持部を把持して火力調節レバーを操作する際に、誤って手指がトッププレートの前端に触れることを、より確実に抑制することが可能になり、安全性をさらに向上させることができる。
【００１７】
また、把持部の上端を、トッププレートの前端より前方に位置させるようにした場合、使用者が手指で把持部を把持して火力調節レバーを操作する際に、誤って手指がトッププレートの前端に触れることをさらに確実に抑制することが可能になり、本発明をより実効あらしめることができる。
【図面の簡単な説明】
【００１８】
【図１】本発明の実施形態にかかるガスコンロの全体構成を示す斜視図である。
【図２】本発明の実施形態にかかるガスコンロの要部を示す側断面図である。
【図３】本発明の実施形態にかかるガスコンロの要部を示す拡大側断面図である。
【発明を実施するための形態】
【００１９】
以下、本発明の実施形態を示して、その特徴とするところをさらに詳しく説明する。
【００２０】
［実施形態］
この実施形態１にかかるガスコンロ１は、図１〜３に示すように、２つのコンロバーナ２１，２２を有するコンロ部２ａとグリル２ｂを備えたガステーブルコンロである。
【００２１】
図１〜３に示すように、このガスコンロ１は、コンロ本体１０の天面部を構成するトッププレート３０と、トッププレート３０に配置された、２つのコンロバーナ２１，２２を有するコンロ部２ａと、グリル２ｂと備えている。
【００２２】
また、このガスコンロ１において、コンロ本体１０の前面を構成する前面パネル１１には、左側のガスコンロ２１用の点消火ボタン４１（４１ａ）、右側のガスコンロ２２用の点消火ボタン４１（４１ｂ）、グリルバーナ用の点消火ボタン４１（４１ｃ）が配設されている。また、前面パネル１１には電池ケース４２が配設されている。
【００２３】
なお、前面パネル１１は、図２に示すように、下端側が上端側よりも前方に位置する態様で傾斜して配設されている。
【００２４】
そして、点消火ボタン４１を押し操作することにより、ガス弁ユニット６１の前方に備える弁体制御ロッド６３（図２）が後方に移動して、ガス弁ユニット６１の内部に備える開閉弁（図示せず）が開弁して、コンロバーナ２１，２２やグリルバーナ（図示せず）に供給される燃料ガスが通流する開弁状態に至るように構成されている。なお、この開弁状態は、ラッチ機構（図示せず）によって維持される。
【００２５】
また、弁体制御ロッド６３（図２）は、スプリング（図示せず）によって前方に付勢されており、開弁状態において、再び点消火ボタン４１（図１、図２）を押し操作すると、弁体制御ロッド６３が後方に移動してラッチ機構によるラッチが解除される。そして、その状態で点消火ボタン４１の押し操作を解除すると、弁体制御ロッド６３がスプリング（図示せず）の付勢力によって前方に移動して、ガス弁ユニット６１の内部に備える開閉弁（図示せず）が閉弁して、各コンロバーナへの燃料ガスの通流が遮断される閉弁状態に至る。なお、この閉弁状態は、スプリング（図示せず）の付勢力によって維持される。
【００２６】
また、ガスコンロ１は、コンロ本体１０のコンロバーナ２１，２２の火力を調節する火力調節レバー５１，５２，およびグリル部２ａを構成するグリルバーナ（図示せず）の火力を調節する火力調節レバー５３を備えている。
【００２７】
また、火力調節レバー５１，５２，５３は、前面パネル１１に設けられた、左右方向に長い横長の貫通口（スリット）（図３）１２を、後方（奥側）から前方（手前側）に向かって貫通するように配設されている。
【００２８】
次に、火力調節レバー５１，５２，５３の構成について説明する。
なお、火力調節レバー５１，５２，５３が、いずれも同様の構成を備えていることから、ここでは火力調節レバー５１を例にとってその構成を詳しく説明する。
【００２９】
火力調節レバー５１は、図２，３に示すように、めっき鋼板からなるレバー本体部５１ａと、このレバー本体部５１ａと接続され、前面パネル１１の前面において下方に延びる垂下部５１ｂと、垂下部５１ｂの下端部に、前方に向けて突出するように配設された、火力調節を行う際に使用者が手指でつまんで操作するつまみ部である把持部５１ｃとを備えている。
【００３０】
そして、レバー本体部５１ａは、図２に示すように、各コンロバーナに供給される燃料ガスの通流量を制御するガス弁ユニット（ガス量調節手段）６１が備える、ガス量調節用駆動部であるガス量調節用駆動軸６２に係合（接続）されており、火力調節レバー５１を操作することにより、火力調節レバー５１を構成するレバー本体部５１ａも動作し、火力調節が行われるように構成されている。すなわち、ガス量調節用駆動軸６２を中心として、レバー本体部５１ａを水平面に沿って動作させることで、各コンロバーナに供給される燃料ガスの通流量が増減され、火力の調節が行われるように構成されている。
【００３１】
垂下部５１ｂは、上述のように、下端側が上端側より前方に位置する態様で傾斜して配設された前面パネル１１に沿って、傾斜して下方に延びている部分であり、火力調節を行う際に使用者が手指でつまんで操作する把持部５１ｃを、前面パネル１１に設けられたスリット１２の配設位置から離れた領域（下方）に位置させる機能を果たすものであり、その上端が前記レバー本体５１ａに接続されている。
【００３２】
また、把持部５１ｃは樹脂製で、垂下部５１ｂの下端に、前方に向けて突出するような態様で、形成されている（図３）。この実施形態では、把持部５１ｃの上端が、トッププレート３０の前方側の端部よりも前方に位置するように構成されている。
【００３３】
なお、この実施形態にかかるガスコンロ１は、火力調節レバー５１が貫通する、前面パネル１１に設けた横長のスリット１２を目立ちにくくするという意匠上の理由で、前面パネル１１の上端側に配設されている。
また、レバー本体部５１ａの先端がトッププレートの近傍に位置しており、その位置で垂下部５１ｂと接続されることにより、垂下部５１ｂによりスリット１２の一部が遮られて、一層目立ちにくくなるように構成されている。
【００３４】
この実施形態のガスコンロ１は、上述のように構成されており、火力調節レバー５１を構成するレバー本体部５１ａがトッププレート３０の近傍において、前面パネル１１を、その後方から前方に貫通するように配置されているが、レバー本体部５１ａの先端と、レバー本体部５１ａの先端と接続され、前記前面パネル１１の前面において下方に延びる垂下部５１ｂと、垂下部５１ｂの下端部に、前方に向けて突出するように配設された把持部５１ｃを備えているので、使用者が火力を調節する際には、スリット１２から離れるとともに、トッププレートの前端からも離れた位置にある把持部５１ｃを指などでつまんで操作することになるため、使用者が高温になったトッププレートに触れる蓋然性が低くなる。その結果、安全性に優れたガスコンロを提供することが可能になる。
【００３５】
また、この実施形態のガスコンロ１においては、トッププレート３０の前方側の端部が、前面パネル１１の上端よりも前方に突出した、オーバーハング状態になっているばかりでなく、前面パネル１１が、上述のように、下端側が上端側より前方に位置する態様で傾斜し、かつ、前面パネル１１に形成されたスリット１２の位置がトッププレート３０の直下に位置するように構成されているので、スリット１２が目立ちにくく、意匠上は好ましいものの、そのままでは、火力調節レバーを操作した場合に使用者の手指が、高温のトッププレートに触れやすい状態にあるが、このような状況下においても、火力調節レバー５１を、上述のように構成された、レバー本体５１ａと、垂下部５１ｂと、垂下部５１ｂに前方側に突出するように配設された把持部５１ｃを備えた構成とすることにより、使用者が高温になったトッププレートに触れる蓋然性を低くして、十分な安全性を確保することができる。
【００３６】
特に、この実施形態では、把持部５１ｃの上端が、トッププレート３０の前方側の端部よりも前方に位置するように構成されているので、使用者が把持部５１ｃ把持して火力を調節する際に、誤ってトッププレートの前端に触れることをより確実に抑制することが可能になり、さらに高い安全性を確保することができるようになる。
【００３７】
［変形例］
上記実施形態では、レバー本体部５１ａの先端部が前面パネル１１のスリット１２を貫通して、前面パネル１１の後方から前方にまで達し、コンロ本体の外側で垂下部５１ｂと接続されている場合を例にとって説明したが、レバー本体部５１ａの先端部がスリット１２を貫通せず、火力調節レバーの先端が前面パネルの後方（コンロ本体の内側）に位置した状態で、垂下部５１ｂと接続されるように構成することも可能である。
【００３８】
また、上記実施形態では、火力調節レバー５１として、レバー本体部５１ａ，垂下部５１ｂおよび把持部５１ｃを備えた構成をを有する火力調節レバーを示したが、火力調節レバーは、例えば、レバー本体部と垂下部とが一体に形成された構成や、全体が一体に形成された構成など、種々の構成とすることができる。
【００３９】
また、上記実施形態では、前面パネル１１が、下端側が上端側より前方に位置する態様で傾斜している場合を例にとって説明したが、前面パネル１１が垂直になるように構成されたガスコンロにも本発明を適用することが可能である。
【００４０】
また、上記実施形態では、把持部５１ｃの上端が、トッププレート３０の前方側の端部よりも前方に位置するように構成したが、把持部の上端が、トッププレートの前端より後方に位置するように構成した場合にも、本発明の基本的な効果を得ることができる。
【００４１】
また、上記実施形態では、コンロ部２ａが２つのコンロバーナ２１，２２を備えたガスコンロ１を例にとって説明したが、コンロ部の数に特別の制約はない。
【００４２】
本発明は、さらにその他の点においても上記実施形態や変形例に限定されるものではなく、発明の範囲内において、種々の応用、変形を加えることが可能である。
【符号の説明】
【００４３】
１          ガスコンロ
２ａ        コンロ部
２ｂ        グリル
２１，２２  コンロバーナ
１０        ガスコンロ本体
１１        前面パネル
１２        スリット
３０        トッププレート
４１（４１ａ，４１ｂ，４１ｃ）    点消火ボタン
４２        電池ケース
５１，５２，５３      火力調節レバー
５１ａ      火力調節レバーを構成するレバー本体
５１ｂ      火力調節レバーを構成する垂下部
５１ｃ      火力調節レバーを構成する把持部
６１        ガス弁ユニット
６２        ガス弁ユニットに設けたガス量調節用駆動軸
６３        弁体制御ロッド
【図１】
0006473376.tif 000002
【図２】
0006473376.tif 000003
【図３】
0006473376.tif 000004